(57)【要約】【課題】本発明は、透明なカード基材を使用したカードにおいて、通常環境下でカードの表裏の着色層による絵柄等が重なって見えることを防ぐとともに、強い光にかざすと裏面側が透けて見える透明カードの効果を発現する、金属光沢を有した、より意匠性が高めたカードを提供するすることを目的とするものである。【解決手段】すなわち本発明は、裏面側から順に、裏面側透明外装層、裏面側印刷層、透明コア層、表面側透明外装層、金属層、表面側印刷層、保護層からなるカードであって、前記金属層が鏡面調の金属光沢を有し、かつ透過率が１０％以上８０％以下であるハーフミラーとなることを特徴とするカードを提供するものである。【選択図】  図１
2020001175.tif 000002
【特許請求の範囲】
【請求項１】
裏面側から順に、裏面側透明外装層、裏面側印刷層、透明コア層、表面側透明外装層、金属層、表面側印刷層、保護層からなるカードであって、前記金属層が鏡面調の金属光沢を有し、かつ透過率が１０％以上８０％以下であるハーフミラーとなることを特徴とするカード。
【請求項２】
裏面側から順に、裏面側透明外装層、裏面側印刷層、裏面側金属層、透明コア層、表面側透明外装層、表面側金属層、表面側印刷層、保護層からなるカードであって、前記裏面側金属層および前記表面側金属層が鏡面調の金属光沢を有し、かつ透過率が１０％以上８０％以下であるハーフミラーとなることを特徴とするカード。
【請求項３】
透明コア層が一層からなる請求項１または２記載のカード。
【請求項４】
透明コア層が二層以上からなる請求項１または２記載のカード。
【請求項５】
透明コア層が二層以上からなり、何れか隣接する二層間にＩＣインレットを有する請求項４記載のカード。
【発明の詳細な説明】
【技術分野】
【０００１】
本発明は、クレジットカード、メンバーズカード、プリペイドカードなど各種カードに所望の文字、絵柄などのデザイン着色表示を施したカードに関するものである。
【背景技術】
【０００２】
上記各種カードは、一般に、規格によってサイズ、形状、厚さなどが定型化されており、カードに施す文字、絵柄などのデザインは表示要素としてだけでなく、カード商品としてのイメージ要素としてもきわめて重要なものである。カードに施す着色表示は、カードの種類、銘柄などの識別表示用としての実用性と装飾的趣向性とを備えていることが要求されている。
【０００３】
そこで外観的に定型化されているカードのデザイン的イメージを高めて、カードとしての商品価値を向上させることを目的として、図５の様な、透明もしくは着色透明なセンターコアシート５２上の全面又は所望領域に網状又は点状パターンの不透視性積層着色層を備え、これら不透視性積層着色層同志の間隙の部位を透視部５７として成り、この不透視性積層着色層が、互いに位置合わせして順次積層された第１着色層５３、不透視性隠蔽層５４及び第２着色層５５から構成され、さらにオーバーシート５１、５６を設けているカードの技術として特許文献１がある。
【０００４】
このようなカードでは、不透視性積層着色層同志の間隙の部位を透視部５７としているため、この透視部５７から反対側を透視することができ、また、上記不透視性積層着色層が、順次積層された第１着色層５３、不透視性隠蔽層５４及び第２着色層５５から構成されているため、カードの表側から見た場合と裏側から見た場合とで異なる着色表示絵柄や同一方向性の同一絵柄を見ることが可能である。
【０００５】
しかしながら、このようなカードでは、透視部の位置は表裏で同じ位置にしか設けられず、デザインに制限がある。
【０００６】
このため、カードの両面に絵柄等の着色層を設けるカードもあるが、それでは表裏の着色パターンが重なって見えてしまい、外観上好ましくない場合が多い。それを防ぐため、絵柄等の着色層を一方の面のみにしたり、一方の面の着色層で他方の面の着色層を隠蔽して設ける方法などが知られている。しかしそれでは着色層のデザインに制約が生じてしまっていた。
【０００７】
そこで、透明カードにおいて、デザインの制約なくカードの表裏の着色層による絵柄等が重なって見えることを防ぐことが可能なカードが望まれていた。
【先行技術文献】
【特許文献】
【０００８】
【特許文献１】実公平７−３０８
【発明の概要】
【発明が解決しようとする課題】
【０００９】
以上のような、問題点を鑑み、本発明は、光源の状況によってカードの透過具合を変化させることで、太陽光下や蛍光灯下などの通常環境下でカードの表裏の印刷層による絵柄等が重なって見えることを防ぎ、強い光源にかざすと裏面側が透けて見える透明カードの効果を発現する、より意匠性を高めたカードを提供することを課題とする。
【課題を解決するための手段】
【００１０】
上記課題を解決するためになされた第１の発明は、裏面側から順に、裏面側透明外装層、裏面側印刷層、透明コア層、表面側透明外装層、金属層、表面側印刷層、保護層からなるカードであって、前記金属層が鏡面調の金属光沢を有し、かつ透過率が３％以上５０％以下であるハーフミラーとなることを特徴とするカードである。
【００１１】
第２の発明は、裏面側から順に、裏面側透明外装層、裏面側印刷層、裏面側金属層、透明コア層、表面側透明外装層、表面側金属層、表面側印刷層、保護層からなるカードであって、前記裏面側金属層および前記表面側金属層が鏡面調の金属光沢を有し、かつ透過率が３％以上５０％以下であるハーフミラーとなることを特徴とするカードである。
【００１２】
第３の発明は、透明コア層が一層からなる請求項１または２記載のカードである。
【００１３】
第４の発明は、透明コア層が二層以上からなる請求項１または２記載のカードである。
【００１４】
第５の発明は、透明コア層が二層以上からなり、何れか隣接する二層間にＩＣインレットを有する請求項５記載のカードである。
【発明の効果】
【００１５】
本発明によれば、通常環境下では金属層の金属光沢によりカードの裏面が透けて見えないため、カードの表裏の着色層による絵柄等が重なって見えることを防ぐことができる。一方で強い光源にかざす、金属層のハーフミラーの効果により裏面側が透けて見える透明カードの効果を発現させることができ、より意匠性が高めたカードを提供することができる。
【図面の簡単な説明】
【００１６】
【図１】本発明の一実施形態を示すカードの概念断面図である。
【図２】本発明の図１のカードとは異なる一実施形態を示すカードの概念断面図である。
【図３】本発明の図１の実施形態を示すカードの通常環境下での光路を示す概念断面図である。
【図４】本発明の図１の実施形態を示すカードの強い光にかざした場合での光路を示す概念断面図である。
【図５】従来のカードの概念断面図である。
【発明を実施するための形態】
【００１７】
以下、本発明の実施の形態を、図面を用いて説明する。図１は本発明の一実施形態を示す。裏面側から順に、裏面側透明外装層１２、裏面側印刷層１３、透明コア層１４、表面側透明外装層１５、金属層１６、表面側印刷層１７、保護層１８からなる。裏面側透明外装層１２の裏面側には磁気ストライプ１１が付いている。
【００１８】
裏面側透明外装層１２、および表面側透明外装層１５は、塩化ビニルや、ポリエチレンテレフタレート（以下ＰＥＴと称する）、グリコール変性非結晶化ポリエチレンテレフタレート（以下ＰＥＴ−Ｇと称する）、アクリルニトリル−ブタジエン−スチレン共重合体（以下ＡＢＳと称する）、セルロースアセテートブチレート（以下ＣＡＢと称する）、セルロースアセテートプロピオネート（以下ＣＡＰと称する）等の材料からなる。それぞれ印刷層１３、１７を保護するとともに、透明コア層１４の両側に透明外装層１２、１５を設けることによってカード基材がより多層構造になるので熱プレス時に反りを生じることがない。
【００１９】
裏面側印刷層１３、表面側印刷層１７は、ＹＭＣＫの基準色のみならず多くの特色印刷で表現することができる。印刷方式としては、グラビア印刷、スクリーン印刷、フレキソ印刷、オフセット印刷等の汎用の印刷方式を用いて直接印刷することや、転写フィルム等にいったん印刷した印刷層を転写して間接的に絵柄を形成することもできる。
【００２０】
透明コア層１４は、としては、塩化ビニル、塩化ビニル−酢酸ビニル共重合体材料、テレフタル酸とシクロヘキサンジメタノール及びエチレングリコールとの共重合体材料、ＰＥＴ、ＰＥＴ−Ｇ、ポリブチレンテレフタレート、ＡＢＳ、ポリカーボネイト、ＣＡＢ、ＣＡＰ等の物質を使用できる。透明コア層１４は、１層に限らず、２層以上のコアシートを積層させた状態で構成してもよい。
【００２１】
金属層１６は鏡面調の金属光沢を有し、かつ透過率が３％以上５０％以下であるハーフミラーとなる。
【００２２】
金属層を形成する方法としては、金属光沢を持たせるため転写法を用いることが好ましい。転写に使用する転写箔は、転写基材上に剥離層、金属蒸着層、接着層を順次積層して作製し、その後前記透明外装層に熱圧転写することで金属層を形成する。前記金属層の金属材料には、アルミニウム、鉄、クロム、コバルト、ニッケル、スズ、金、銀などの金属またはこれらの化合物を用いることができる。
【００２３】
また別な実施形態として、裏面側から順に、裏面側透明外装層２２、裏面側印刷層２３、裏面側金属層２４、第一透明コア層２５、ＩＣインレット２６、第二透明コア層２７、表面側透明外装層２８、表面側金属層２９、表面側印刷層３０、保護層３１からなるカードである。
【００２４】
ＩＣインレット２６は、第一透明コア層２５と第二透明コア層２７を用いて、アンテナとＩＣを有するインレットを挟み込んだ構成をもちいることができる。
【００２５】
次に、本発明のカードの製造方法について説明する。まず、透明コア層１４と、磁気ストライプ１１と、裏面印刷層１３を設けた裏面側透明外装層１２と、金属層１６と表面側印刷層１７と保護層１８を設けた表面側透明外装層１５を重ね合わせた後、熱プレス装置に載置し上下方向から熱圧をかけることで、カード基材の全体を接着一体化し完成した。なお、表面側透明外装層１５には、転写箔を用いてラミネートプレスにより金属層１６を転写し、更にオフセット印刷により表面側印刷層１７を前記金属層１６上に形成した。また裏面側透明外装層１２には、オフセット印刷により裏面印刷層１３を形成した。
【実施例】
【００２６】
（実施例１）
厚さ０．６００ｍｍの透明ＰＥＴ−Ｇシートからなるコアシートの両面に、表面側に裏面絵柄印刷層を形成した厚さ０．１００ｍｍの延伸ＰＥＴからなる裏面外装シートと、表面側に金属層、表面絵柄印刷層、保護層を順に形成した延伸ＰＥＴからなる表面外装シートを積層し、ラミネートプレスによりカード厚みとした後、抜き加工でカード化した。なお、金属層は、転写箔を用いてラミネートプレスにより表面外装シート上に形成したものである。
【００２７】
（実施例２）
厚さ０．３００ｍｍの透明ＰＥＴ−Ｇシート２枚でＩＣインレットを挟み込んだコアシートの両面に、表面側に裏面絵柄印刷層を形成した厚さ０．１００ｍｍの延伸ＰＥＴからなる裏面外装シートと、表面側に金属層、表面絵柄印刷層、保護層を順に形成した延伸ＰＥＴからなる表面外装シートを積層し、ラミネートプレスによりカード厚みとした後、抜き加工でカード化した。なお、金属層は、転写箔を用いてラミネートプレスにより表面外装シート上に形成したものである。
【００２８】
（比較例１）
厚さ０．６００ｍｍの透明ＰＥＴ−Ｇシートからなるコアシートの両面に、表面側に裏面絵柄印刷層を形成した厚さ０．１００ｍｍの延伸ＰＥＴからなる裏面外装シートと、表面側に表面絵柄印刷層、保護層を順に形成した延伸ＰＥＴからなる表面外装シートを積層し、ラミネートプレスによりカード厚みとした後、抜き加工でカード化した。
【００２９】
実施例１、２および比較例１についてカード外観を確認した。
【００３０】
通常環境下において実施例１、２は図３の様にカードが透けず、入射光４１がそのまま反射光４２となるため、表面絵柄印刷層と裏面絵柄印刷層は重なって見えず、かつ、金属光沢のある意匠性の高い外観であった。一方で比較例１は、カードが透けているため表面絵柄印刷層と裏面絵柄印刷層が重なって見えてしまい、外観上好ましいものではなかった。
【００３１】
強い光源にかざした場合、実施例１、２は図４の様に金属層が光を透過し、裏面側が透けて見える透明カードの効果を透過光４３により発現させることができた。このように、光源の状況で見え方が変化するという優れた意匠効果を示した。
【００３２】
これは、透過率が３％以上５０％以下であるハーフミラーの金属層を設けたことにより実現する効果である。
【符号の説明】
【００３３】
１１、２１・・・磁気ストライプ
１２、２２・・・裏面側透明外装層
１３、２３・・・裏面側印刷層
１４・・・透明コア層
１５、２８・・・表面側透明外装層
１６・・・金属層
１７、３０・・・表面側印刷層
１８、３１・・・保護層
２４・・・裏面側金属層
２５・・・第一透明コア層
２６・・・ＩＣインレット
２７・・・第二透明コア層
２９・・・表面側金属層
４１・・・入射光
４２・・・反射光
４３・・・透過光
５１、５６・・・オーバーシート
５２・・・センターコアシート
５３・・・第１着色層
５４・・・不透視性隠蔽層
５５・・・第２着色層
５７・・・透視部
【図１】
2020001175.tif 000003
【図２】
2020001175.tif 000004
【図３】
2020001175.tif 000005
【図４】
2020001175.tif 000006
【図５】
2020001175.tif 000007